(57)【要約】【課題】自動改札機が複数箇所に分散されて配置されている時に、各自動改札機の利用頻度が大きく変わらないようできる通行管理装置を提供する。【解決手段】複数の自動改札機に接続される制御装置３は、各自動改札機の利用回数を記憶する利用回数記憶部３０と、いずれかの自動改札機が利用される毎に抽選を行う抽選部３１と、利用者に関する情報が記憶されている利用者テーブル３２と、利用者に対して当選通知メールを送る送信部３３とを備え、利用者がいずれかの自動改札機を利用した時に抽選が行われ、当選すると、その利用者の情報送信先を利用者テーブル３２を参照して抽出し、送信部３３によって当選通知メールをその情報送信先に送信する。【選択図】図１
2004013412.tif 000002
【特許請求の範囲】
【請求項１】
利用者が自動改札機を利用するときに、その利用者が所持する情報記録媒体から利用者の識別情報を読み取る媒体読取手段と、
自動改札機が利用された回数を自動改札機利用回数として記憶する利用回数記憶手段と、
前記利用回数記憶手段に記憶されている自動改札機利用回数に基づいて当選確率を変動させるとともに、利用者が自動改札機を利用したことに応じてその時の前記当選確率により抽選を行い、当選した利用者への情報送信先を前記媒体読取手段で読み取った利用者の識別情報に基づいて獲得して、この情報送信先に当選したことを知らせる制御手段と、
を備えたことを特徴とする通行管理装置。
【請求項２】
前記制御手段は、単位時間当たりの前記自動改札機利用回数に対する当選確率係数αを記憶する第１のテーブルを備え、この第１のテーブルを参照して得られる当選確率係数から前記抽選対象となる自動改札機の前記当選確率を求めることを特徴とする、請求項１記載の通行管理装置。
【請求項３】
抽選対象となる自動改札機の総利用回数をａ１、他の全自動改札機の総利用回数をａ２としたときのａ１とａ２の比に対する当選確率係数βを記憶する第２のテーブル、を備え、この第２のテーブルを参照して得られる当選確率係数から前記抽選対象となる自動改札機の前記当選確率を求めることを特徴とする、請求項１記載の通行管理装置。
【請求項４】
前記制御手段は、前記当選確率の高い自動改札機の設置位置を、あらかじめ登録している自動改札機利用者全員の情報送信先、またはその中から所定の条件で抽出した情報送信先に対して送信することを特徴とする、請求項１〜３のいずれかに記載の通行管理装置。
【請求項５】
前記制御手段は、前記当選確率の高低を自動改札機に表示することを特徴とする、請求項１〜４のいずれかに記載の通行管理装置。
【請求項６】
前記制御手段は、利用者が自動改札機を利用した直後に前記抽選を行い、前記当選した利用者に対して当選したことを電子メールで知らせることを特徴とする請求項１〜５のいずれかに記載の通行管理装置。
【発明の詳細な説明】
【０００１】
【発明の属する技術分野】
この発明は、駅やイベント会場等に設置される自動改札機等、利用者の通行管理を行う通行管理装置に関する。
【０００２】
【従来の技術】
駅やイベント会場等では、特定の権利を持つ利用者が入出場することのできる自動改札機が設置されており、この自動改札機単独で、または自動改札機とこれに接続されているセンタとによって利用者の入出場を管理・制御できるようにしている。この自動改札機は、駅やイベント会場の大きさ、または入出場する利用者の総数によって１つ又は複数個設置されるが、入出場口が離れた状態で複数個ある時には、それぞれの入出場口に自動改札機が設置される。
【０００３】
【発明が解決しようとする課題】
しかし、特に複数の入出場口にそれぞれ１つ又は複数の自動改札機が設置される場合、利用者の生活習慣や利便性追求に起因して、各自動改札機の利用頻度にばらつきが生じることがあり、これにより以下に示すような問題があった。
【０００４】
▲１▼通常、自動改札機の利用回数によって保守の内容（部品の交換や清掃等）が決められているが、上記の場合自動改札機ごとに異なる手順で保守を行うことになるために、作業効率の低下を否めず、又、過剰な保守や不十分な保守が生じやすくなり、運用コストや品質に影響することもあった。
【０００５】
▲２▼利便性の高い入出場口の自動改札機にどうしても利用者が集中することになるために、慢性的な混雑を招くことがあった。また、イベント会場等においては、イベント終了直後に出口付近に設けられている入出場口が非常に混雑するために、一時的に危険な状態に陥る可能性もあった。
【０００６】
この発明の目的は、自動改札機が複数箇所に分散されて配置されている時に、各自動改札機の利用頻度が大きく変わらないようできる通行管理装置を提供することにある。
【０００７】
【課題を解決するための手段】
この発明は、利用者が自動改札機を利用するときに、その利用者が所持する情報記録媒体から利用者の識別情報を読み取る媒体読取手段と、
自動改札機が利用された回数を自動改札機利用回数として記憶する利用回数記憶手段と、
前記利用回数記憶手段に記憶されている自動改札機利用回数に基づいて当選確率を変動させるとともに、利用者が自動改札機を利用したことに応じてその時の前記当選確率により抽選を行い、当選した利用者への情報送信先を前記媒体読取手段で読み取った利用者の識別情報に基づいて獲得して、この情報送信先に当選したことを知らせる制御手段と、を備えたことを特徴とする。
【０００８】
この発明では、自動改札機が利用されたときに、その利用者に対して抽選を行い、当選した利用者に対して景品等を付与する。各自動改札機に対しては、予め当選確率を付与し、その当選確率を自動改札機の利用回数に基づいて変動させるようにしている。このため、利用回数の少ない自動改札機の当選確率を高く、利用回数の多い自動改札機の当選確率を低くしておけば、複数の自動改札機のそれぞれに利用者が万遍なく通過するように誘導することが可能になる。また、当選した利用者に対しては予め登録されている情報送信先に当選したことを知らせるようにしているため、利用者は携帯電話のメールアドレス等、自らが利用しやすい情報送信先を予め登録しておくことで、当選の有無を容易に知ることができる。なお、情報送信先としては、上記のような携帯電話のメールアドレスの他、自宅においてあるパソコンのメールアドレスや、ＰＤＡ等の携帯情報端末のメールアドレス等が考えられる。また、情報送信先に対して当選したことを知らせるとは、当選の有無の他、景品の詳細、景品受取先等を知らせることも含み、さらには、割引等のプレミアムを知らせることも含んでいる。また、上記制御手段は、自動改札機自体に設けることもできるが、自動改札機に回線又はネットワーク接続されている自動改札機管理センタ等に設けることも可能である。
【０００９】
また、この発明では、単位時間当たりの前記自動改札機利用回数に対する当選確率係数αを記憶する第１のテーブルや、抽選対象となる自動改札機の総利用回数をａ１、他の全自動改札機の総利用回数をａ２としたときのａ１とａ２の比に対する当選確率係数βを記憶する第２のテーブルを、前記制御手段に設けて、この第１のテーブルや第２のテーブルを参照して得られる当選確率係数から前記抽選対象となる自動改札機の前記当選確率を求めることが出来る。
【００１０】
上記の構成で、第１のテーブルに記憶されている当選確率係数αは、その自動改札機の絶対的利用頻度を示し、時間的に変動する。したがって、この当選確率係数αに基づいて当選確率を求めることで、利用頻度の高い時間帯では当選確率を低くし、利用頻度の低い時間帯では当選確率を高くすることが出来る。また、第２のテーブルに記憶されている当選確率係数βは、当該自動改札機の他の自動改札機に対する相対的利用頻度を示す。この相対的利用頻度βに基づいて当選確率を求めることで、複数の自動改札機に対する利用者の分散を図ることが可能になる。ここでいう総利用回数は、単位時間又は単位期間当たりの総利用回数であっても良いし、任意の時点からの通算の総利用回数であっても良い。
【００１１】
この発明では、混雑している自動改札機の当選確率を低くし、混雑していない自動改札機の当選確率を高くすることによって、各自動改札機の利用回数を均一化させることが出来る。
【００１２】
また、この発明は、前記制御手段は、前記当選確率の高い自動改札機の設置位置を、あらかじめ登録している自動改札機利用者全員の情報送信先、またはその中から所定の条件で抽出した情報送信先に対して送信することを特徴とする。
【００１３】
上記の構成では、当選確率の高い自動改札機に対して、自動改札機を利用しようとする人を誘導することができるため、各自動改札機の利用頻度のばらつきを小さくして混雑を緩和することができる。
【００１４】
なお、上記所定の条件には、例えば、自動改札機利用者で当選しなかった人や、既に入場した人を抽出する条件がある。
【００１５】
上記当選確率については、自動改札機にその高低を表示することも可能である。
【００１６】
【発明の実施の形態】
図１は、この発明の実施形態の通行管理装置の全体の構成図を示している。
【００１７】
この通行管理装置は駅に設置される例を示し、この実施形態では、自動改札機群Ａと自動改札機群Ｂとがそれぞれ異なった位置に配置されている。自動改札機群Ａは３つの自動改札機Ａ１、Ａ２、Ａ３で構成され、各自動改札機は１列に並設されている。自動改札機群Ｂは、２つの自動改札機Ｂ１、Ｂ２で構成され、同様に１列に並設されている。本実施形態では、各自動改札機が利用される毎に抽選を行う機能を持っていて、利用者が自動改札機を通過したとき（利用したとき）に、その利用者に景品等を付与する抽選を自動的に行う。当選確率は、利用頻度の低い改札機に対してより高く設定され、利用頻度の高い改札機に対してより低く設定される。また、その抽選の結果当選すれば、その利用者に対して当選通知を自動的に行う。
【００１８】
各自動改札機は駅構内の配線ライン１を介して監視盤２に接続され、さらにこの監視盤２が通行管理装置全体の制御を行う制御装置３に接続されている。制御装置３は、通行管理センタ等のセンタ機能を持つ装置内に設けられる。
【００１９】
前記制御装置３は、各自動改札機Ａ１〜Ａ３及びＢ１〜Ｂ２がそれぞれ利用された回数を自動改札機利用回数として記憶する利用回数記憶部３０を備えている。また、制御装置３は、利用者がいずれかの自動改札機を利用したことに応じてその時の当選確率により抽選を行う抽選部３１を備えている。また、制御装置３は、予め、ＩＤ（利用者ＩＤ）付き定期券、ＩＤ（利用者ＩＤ）付き乗車券、ＩＤ（利用者ＩＤ）付きプリペイドカード乗車券（以下、これらのＩＤ付き券を、単に乗車券と称する）等の乗車券を発行することによって自動改札機を通過する権限を付与した利用者を記憶する利用者テーブル３２を備えている。利用者テーブル３２は、図２に示すように、利用者を識別するための利用者ＩＤ（以下、単にＩＤと称する）、氏名、住所等（この他、年齢、性別、趣味・嗜好等もある）の利用者の識別情報と、区間、期間を含む通行条件情報とに加えて、情報送信先Ｃを記憶している。この利用者テーブル３２は、予め、利用者が駅構内の窓口や所定のＷｅｂサイト等上で申し込みをして、現金、クレジットカード等で精算された時にその利用者を登録するものであり、この時に、上記識別情報と交通条件情報とに加えて、任意の情報送信先Ｃが登録される。この情報送信先Ｃは、たとえば、利用者が所有する携帯電話の電子メールアドレスであったり、パソコンやＰＤＡ等の携帯端末装置により使用する電子メールアドレスであったりする。
【００２０】
制御装置３は、さらに、上記抽選部３１による抽選の結果、当選した利用者に対し当選したことを知らせるための送信部３３を備える。この送信部３３は、当選した利用者の情報送信先を利用者テーブル３２から抽出して当選したことをその情報送信先に対して知らせることに加えて、さらに、利用者テーブル３２に登録している全利用者や所定の条件で抽出された利用者の情報送信先に対して、当選確率の高い自動改札機の配置位置を送信する。
【００２１】
図３は、各自動改札機の構成図を示す。この実施形態の自動改札機は、図１に示すように、通路を隔てて両側に配置した２つの自動改札機本体で構成される。各自動改札機は、自動改札機に挿入された乗車券の記録内容を読み取るとともに、搬送等の処理をする乗車券処理部４０と、通路を利用者が通過したことを検出する通行検知部４１と、上記乗車券処理によって得られた交通条件情報（区間及び期間を含む）等に基づいて、使用された乗車券が有効なものであるかどうかを判定する判定部４２と、判定の結果扉の開閉を行う扉制御部４３と、上位の監視盤２及び制御装置３と通信を行うための上位通信部４４と、利用者に対し各種表示を行う表示部４５と、全体の制御を行う制御部４６及び電源部４７を備えている。なお、乗車券は磁気カードやＩＣカードからなる接触式のものであっても、非接触ＩＣカードであっても良く、前者の場合は、乗車券挿入口に乗車券が挿入され、後者の場合は自動改札機本体に翳されることになる。以下、前者の例で説明する。
【００２２】
次に、上記の通行管理装置の動作について説明する。
【００２３】
図４は、各自動改札機の動作を示している。ステップＳＴ１において乗車券が乗車券挿入口に挿入されたことを検出すると、ステップＳＴ２において通行制御を行う。つまり、挿入された乗車券が有効であるかどうかを判定部４２で判定し、有効であれば扉を開き、無効であれば扉を閉じる。有効の場合には、利用者はそのまま通路を通過して入場又は出場が完了する。本実施形態では、この有効の時に、自動改札機が制御装置３に対して乗車券から読み取ったＩＤを送信する。（ステップＳＴ４）
図５は、制御装置３の動作を示している。
【００２４】
制御装置３は、いずれかの自動改札機から上記ＩＤをステップＳＴ１０において受信すると、利用者に対する抽選処理を抽選部３１で行う。つまり、まずステップＳＴ１１において、抽選を行うための当選確率係数を設定し、続いて、ステップＳＴ１２において、上記当選確率係数によって決まった当選確率により抽選を行う。抽選は、当選確率を引数とした乱数発生関数を利用することによって行うことができる。当選確率係数は、利用頻度の低い改札機に対しては当選確率がより高くなるように設定され、利用頻度の高い改札機に対しては当選確率がより低くなるように設定される。抽選の結果、当選すれば、その当選した利用者の情報送信先を、利用者テーブル３２を参照して抽出する（ステップＳＴ１４）。この抽出した情報送信先に対し、ステップＳＴ１５で当選通知を行う。当選通知には、当選を伝える内容や、景品の受渡し、又は、次回の乗車券を購入する時の割引率等が含まれる。もし、情報送信先が利用者の所有する携帯電話の電子メールアドレスやＰＤＡによってアクセスできる電子メールアドレスであれば、利用者ＩＤは自動改札機を通過した直後に当選通知を受け取ることが可能である。また、パソコンでアクセスする電子メールアドレスであれば、帰宅後等に当選通知を知ることが出来る。
【００２５】
図６は、当選確率係数テーブルを示している。図６（Ａ）は各自動改札機毎の過去１分間の利用回数に対する確率係数αを示している。また、図６（Ｂ）は、各自動改札機の総利用回数をａ１、他の全自動改札機の総利用回数をａ２とした時のａ１／ａ２（＝利用回数比）に対する確率係数βを示している。各自動改札機毎に、図６（Ａ）に示す確率係数αを記憶する第１のテーブルと、図６（Ｂ）に示す確率係数βを記憶する第２のテーブルとが用意され、各確率係数α、βは、自動改札機が利用される毎に更新されていく。本実施形態では、上記２つのテーブルを利用して、
当選確率＝基本確率×α×β
の演算を行って自動改札機が利用される毎に当選確率を求めるようにしている。なお、上記の当選確率を求める式において、基本確率は１／１００等、適当な値に設定される。また、当選確率は、この基本確率に上記当選確率係数α又は当選確率係数βのいずれかのみを乗じて求めるようにしてもよい。当選確率係数αは、その自動改札機が過去１分間に利用された回数によって決定される確率係数であるために、その値は絶対的利用頻度を示す一方、当選確率係数βは、その改札機と他の全改札機のそれぞれの総利用回数の比較により決定する確率係数であるから、その値は相対的利用頻度を示している。当選確率は、上述のように利用頻度の低い改札機に対してより高く設定されるから、本実施形態のように、基本確率にαとβを乗じることによって、各自動改札機に対しバランスよく当選確率を設定することが可能である。すなわち、当選確率係数βによって、混雑している自動改札機は当選確率が低下し、混雑していない自動改札機は当選確率は高くなる。また、当選確率係数αによって、利用頻度の低い自動改札機の当選確率が高くなる。
【００２６】
上記当選確率係数としては、さらに、日常的な変数に基づく係数を用意してもよい。例えば、晴れの日には自動車が利用されることが多いが、天気を変数として晴れの日の当選確率が高くなる係数を用意すると、自動車よりも鉄道を利用しようとする人が増えると考えられる。また、曜日を変数として日曜日や祝日の休日に当選確率が高くなる係数を用意すれば、休日に鉄道を利用しようとする人が増加すると考えられる。このような日常的な変数を用いて当選確率を変動させることで、利用者の増大を図ることが出来、また、上記の係数αやβを組み合わせることで、自動改札機の利用分布の均一化を図ることが出来る。
【００２７】
なお、各自動改札機が利用される毎にその情報は制御装置３に送信されるようになっており、制御装置３では、図６（Ａ）、（Ｂ）に示す上記確率係数テーブルを常時更新していく。
【００２８】
上記制御装置３は、適当なタイミングで利用者テーブル３２に登録されている利用者に対し当選確率の高い自動改札機の設置位置を通信する。上記適当なタイミングは、一例として早朝や夕方の時刻が考えられる。また、すでに入場している利用者を抽出し、この利用者に対して出場口の自動改札機のうち当選確率の高いものを通知することもできる。また、利用者テーブル３２に登録されている自動改札機利用予定者の中から、１回も当選していない人を抽出し、この人に対して当選確率の高い自動改札機を送信することも可能である。その他、当選回数が一定以下の利用者や、乗車券の利用期間の長い利用者等を抽出して、これらの人に対して当選確率の高い自動改札機を送信することも可能である。抽出条件は、当選確率の高い自動改札機の設置位置に利用者を誘導するか、または、自動改札機を利用する動機付けを与えるように設定することが望ましいといえる。
【００２９】
図７は、図５のステップＳＴ１５において当選通知された通知内容を示している。この通知内容に従って、利用者が駅構内の窓口に出向くと、係員が所定のバーコードリーダによってバーコード５を読み取り、当選通知内容が偽造ではないことを確認する。バーコードに代わる表示であっても良いが、望ましくは、利用者が容易に偽造できない表示内容にすべきである。このように、当選通知内容が本物であることが確認されると、所定の景品を利用者に対して渡す。または、同景品を自宅宛に郵送したり、別途設けられているサービスセンタに取りに行ってもらう手続きを行う。また、景品に変えて、当選情報を登録しておいて、次回に乗車券を購入する時に購入額を割り引くサービスを提供することも可能である。
【００３０】
上記の説明では、利用者に対して当選確率の高い自動改札機の設置位置を通知する例を示したが、この通知に代えて、又は、この通知とともに、図８に示すように、自動改札機に当選確率情報を表示してもよい。すなわち、図８に示すように、自動改札機本体６の入場又は／及び出場側に、表示部７を設け、この表示部７に、その自動改札機に対する当選確率を文字やグラフィックで定量的に又は定性的に表示する。図に示す例では、高確率時には、Ｄ１で示すようなグラフィック表示を行い、低確率時にはＤ２で示すようなグラフィック表示を行う。このような表示を行うことによっても、各自動改札機入出場口の混雑改善や各自動改札機利用の平均化を図ることが可能である。また、このような表示をホームページ等で公開することも可能である。
【００３１】
図９は、この発明の他の実施形態の通行管理装置を示している。
【００３２】
構成において、図１に示す通行管理装置と相違する点は、自動改札機群Ａが抽選対象に設定され、自動改札機群Ｂが抽選対象外に設定されている点である。抽選対象となる自動改札機を特定改札機と称する。また、制御装置３は、特定改札機のＩＤを記憶する特定改札機ＩＤテーブル３４と図１０に示すような当選条件テーブル３５とを備えている。また、利用者テーブル３２には、各利用者の年齢、性別、趣味・嗜好等も記憶されている。
【００３３】
上記特定改札機は、予め、駅周辺にある店舗等との契約によって設定される。すなわち、店舗等が、駅利用者を自分の店舗へと誘導したい時には、その店舗に近い自動改札機を特定改札機とするよう鉄道事業者との間で契約を行う。契約により、特定改札機を通過した利用者に対して抽選が行われる。契約により、特定改札機を通過した利用者に対する当選条件を細かく設定することも可能である。たとえば、図１０に示すように、利用者の年齢、性別、趣味・嗜好等を当選条件とすることも可能である。図に示す例では、たとえば、○○ショップの店舗との契約では、この○○ショップに近い位置に設置されている自動改札機の利用者のうち、年齢＝条件なし、性別＝条件なし、趣味・嗜好＝スポーツの３つの条件に合致する利用者のみが当選対象となる。したがって、この当選条件を満たす利用者が特定改札機を通過した時にだけ当たりのある抽選が行われる。
【００３４】
この自動改札機の構成は、図３に示すものと同一であるが、乗車券が挿入されたときには、利用者ＩＤだけではなく、自動改札機ＩＤも制御装置３に送信される。
【００３５】
図１１は、上記通行管理装置の制御装置３の動作を示すフローチャートである。なお、各自動改札機の動作は図４に示す動作と同一である。
【００３６】
制御装置３は、ステップＳＴ１０でＩＤ（利用者ＩＤと自動改札機ＩＤを含む）を受信すると、ステップＳＴ２０においてその自動改札機が特定改札機かどうかの判定を行う。ステップＳＴ２０で特定改札機であることを判定した時には、ステップＳＴ２１において、その自動改札機を利用した利用者が抽選対象者であるかどうかを、利用者テーブル３２と当選条件テーブル３５を参照することによって判定する。抽選対象者である場合には、以下、ＳＴ１１以下を実行して、抽選を行うとともに、当選した時には、ステップＳＴ１５において当選者の情報送信先に当選通知を行う。
【００３７】
上記ステップＳＴ２２以下では、特定改札機以外の自動改札機を通過した利用者が抽選対象者のときには、その対象者を特定改札機の配置位置に誘導する案内通知メールを送信する。
【００３８】
すなわち、ステップＳＴ２０で特定改札機でない時には、ステップＳＴ２２に進み、自動改札機を利用した利用者が抽選対象者であるかどうか判定する。抽選対象者である時には、ステップＳＴ２３においてその利用者に対し案内通知メールを送信する。図１２は、この案内通知メールの内容を示している。図に示すように、この案内通知メールを受けた利用者は、次に改札機を利用する時に特定改札機を利用しようとする。これにより、特定改札機を利用するよう利用者を誘導することができ、ひいては、その特定改札機の近くに設置されている店舗へと利用者を誘導することができる。
【００３９】
以上の制御は、特に、特定改札機が店舗に近く、それ以外の自動改札機が店舗から離れた位置に設置されている場合により有効である。ステップＳＴ１１以下の動作については、図５において説明した動作と同じである。
【００４０】
なお、図１３は、ステップＳＴ１５において利用者に通知される当選通知内容の一例を示している。バーコード５は、図６に示すバーコード５と同様に、この当選通知メールが正式なものであることを保証するためのバーコードであって、景品を渡す時にバーコードリーダによって確認される。
【００４１】
以上の実施形態では、制御装置３が抽選部３１を備えているが、抽選処理を効率的に行うようにするには、各自動改札機に、図１４に示すように抽選部４８を設けてもよい。図１５は、各自動改札機に抽選部４８を設けた場合の各自動改札機の動作を示すフローチャートである。
【００４２】
ステップＳＴ３０で乗車券が挿入されたことを検出すると、ステップ３１で扉開閉等の通行制御を行い、乗車券が有効であるかどうかの判定をステップＳＴ３２で行う。有効である時には、ステップＳＴ３３で抽選部４８によって抽選を行う。抽選の結果当選した時には（ステップＳＴ３４）、ステップＳＴ３５において乗車券から読み取った利用者ＩＤ（当選したＩＤ）を制御装置３に送信する。
【００４３】
図１６は、制御装置３の動作を示すフローチャートである。当選したＩＤを受信すると（ステップＳＴ４０）、そのＩＤに対応する情報送信先を利用者テーブル３２を参照して抽出し、抽出した情報送信先に対して当選内容の通知を行う（ステップＳＴ４２）。なお、各自動改札機が利用される毎にその情報は制御装置３に送信されるようになっており、制御装置３では、図６（Ａ）、（Ｂ）に示すような確率係数テーブルを常時更新していく。また、この確率係数テーブルに基づいて計算される当選確率を、定期的に各自動改札機に対して送信する。したがって、各自動改札機では、定期的に送られてくる当選確率に基づいて抽選を行う。
【００４４】
【発明の効果】
この発明によれば、複数の自動改札機が設けられている場合、それぞれの自動改札機の利用頻度に応じて当選確率を変動させるようにしているため、利用頻度の低い自動改札機には当選確率を高くし、利用頻度の高い自動改札機には当選確率を低くすることにより、各自動改札機に対する利用者の分散を図ることができる。このため、混雑を緩和することができるとともに各自動改札機のメンテナンスの効率化を進めることができる。さらに、利用者にとっては、自動改札機を利用するたびに、所定の確率で景品等を獲得できるようになるために、特に毎日利用する駅構内の自動改札機等では、利用者に対し毎日の生活に刺激や変化を与えることができ、結果として自動改札機の利用者数を増大させることが可能になる。
【図面の簡単な説明】
【図１】この発明の実施形態である通行管理装置の構成図
【図２】利用者テーブルの一例を示す図
【図３】自動改札機の構成図
【図４】自動改札機の動作を示すフローチャート
【図５】制御装置の動作を示すフローチャート
【図６】確率係数テーブルの一例を示す図
【図７】当選通知メールの内容を示す図
【図８】当選確率の表示例を示す図
【図９】この発明の他の実施形態の通行管理装置の構成図
【図１０】当選条件の一例を示す図
【図１１】制御装置の動作を示すフローチャート
【図１２】案内通知メールの内容を示す図
【図１３】当選通知メールの内容を示す図
【図１４】この発明の更に他の実施形態の自動改札機の構成図
【図１５】自動改札機の動作を示すフローチャート
【図１６】制御装置の動作を示すフローチャート
【図１】
2004013412.tif 000003
【図２】
2004013412.tif 000004
【図３】
2004013412.tif 000005
【図４】
2004013412.tif 000006
【図５】
2004013412.tif 000007
【図６】
2004013412.tif 000008
【図７】
2004013412.tif 000009
【図８】
2004013412.tif 000010
【図９】
2004013412.tif 000011
【図１０】
2004013412.tif 000012
【図１１】
2004013412.tif 000013
【図１２】
2004013412.tif 000014
【図１３】
2004013412.tif 000015
【図１４】
2004013412.tif 000016
【図１５】
2004013412.tif 000017
【図１６】
2004013412.tif 000018